(57)【特許請求の範囲】
【請求項１】
記録紙上に画像を形成する機構，第１電力供給用電源、および、外部電源と第１電力供給用電源の間を開閉する電源スイッチ、を含むプリンタ；
光像をそれを表すための画像データに変換する機構，第２電力供給用電源、および、外部電源と第２電力供給用電源の間を、第１電力供給用電源の電圧出力の有無に応じて閉開する第１スイッチ手段、を含む原稿スキャナ；
第１電力供給用電源が出力する駆動用電圧および第２電力供給用電源が出力するインターフェイス用電圧によって付勢されて前記原稿スキャナから前記画像データを受けて前記プリンタが画像を生成するための画像データに処理して前記プリンタに与える画像データ処理装置；および、
第１電力供給用電源が出力する前記駆動用電圧の有無に応じて、前記画像データ処理装置への前記インターフェイス用電圧を供給停止する第２スイッチ手段；
を備える画像処理複合機。
【請求項２】
記録紙上に画像を形成するプリンタエンジン，該プリンタエンジンに与える高い電圧と低い駆動用電圧を発生する第１電力供給用電源、および、外部電源と第１電力供給用電源の間を開閉する電源スイッチ、を含むプリンタ；
光像をそれを表すための画像データに変換する機構，第２電力供給用電源、および、外部電源と第２電力供給用電源の間を、第１電力供給用電源の前記高い電圧の有無に応じて閉開する第１スイッチ手段、を含む原稿スキャナ；
第１電力供給用電源が出力する駆動用電圧および第２電力供給用電源が出力するインターフェイス用電圧によって付勢されて前記原稿スキャナから前記画像データを受けて前記プリンタが画像を生成するための画像データに処理して前記プリンタに与える画像データ処理装置；および、
第１電力供給用電源が出力する前記駆動用電圧の有無に応じて、前記画像データ処理装置への前記インターフェイス用電圧を供給停止する第２スイッチ手段；
を備える画像処理複合機。
【請求項３】
第１スイッチ手段は電気リレーであり、第２スイッチ手段は半導体スイッチもしくは電気リレーである、請求項１又は２記載の画像処理複合機。
【請求項４】
省エネルギーモードで前記プリンタが第１スイッチ手段を開く、請求項１乃至３のいずれか１つに記載の画像処理複合機。
【請求項５】
省エネルギーモードで前記プリンタが前記高い電圧の発生を停止し、前記駆動用電圧の発生は継続する、請求項２に記載の画像処理複合機。
【請求項６】
省エネルギーモードで前記プリンタが前記原稿スキャナの内部の電力供給を遮断し、前記画像データ処理装置への前記駆動用電圧の供給は継続する、請求項１乃至５の何れか１つに記載の画像処理複合機。
【発明の詳細な説明】
【０００１】
【発明の属する技術分野】
本発明は、記録紙上に画像を形成するプリンタと、オプションの、光像を読み取る原稿スキャナとの組合わせに関し、特に、この組合せにおける電源システム構成に関する。
【０００２】
【従来技術】
パソコンでワープロソフトにしたがって生成した文書のプリントアウトに用いられるプリンタを、コンピュータ出力のプリントアウト専用のみならず、オプションの原稿スキャナを後付けして原稿画像のコピー出力用にも使用し得る、複合機能複写機の仕様に設計する場合がある。
【０００３】
このようなプリンタを複合機能複写機に組立てるときには、原稿スキャナが発生する画像データをプリンタの画像プリント用の画像データに処理するイメージ処理ユニット（ＩＰＵ：Image Processing Unit)をプリンタに後付けし、あるいは最初からプリンタに装備しておき、原稿スキャナを機械的にプリンタに組付けて固定し、原稿スキャナをＩＰＵに接続する。このように、プリンタにオプションの原稿スキャナを後付け装着し、複合機能複写機を構成する場合、オプションである原稿スキャナの電力供給をどうするかが問題となる。
【０００４】
ベースとなるプリンタ側の電源装置に、予め原稿スキャナ用の電源容量を上乗せして用意した場合、複写機能に拡張しないプリンタ単独使用に対しては、コストアップとなってしまうため、オプションである原稿スキャナに専用の電源装置を用意する方法が採られている。このときの実装方式として、プリンタのＡＣ入力を分岐してオプション・スキャナの電源装置に入力した場合、プリンタのＡＣコードは、プリンタの電源装置とオプション・スキャナの電源装置の総電力に対する定格を必要とするため、複写機能に拡張しないプリンタに対してやはりコストアップとなる。また、１次側のヒューズも同様に総電力に対する定格を必要とするため、コストアップとなる。
【０００５】
また、完全に独立した２電源方式とした場合、操作性として、デジタルプリンタ単独時での電源ＯＮ／ＯＦＦ操作に対し、コピア拡張時にはオプション・スキャナの電源ＯＮ／ＯＦＦ操作が発生してしまう。また、プリンタ側とオプション・スキャナ側のどちらかだけが通電されている状態では、電流の回り込みが発生してしまう。さらに、２電源方式でＡＣコードが２本必要となり、ユーザの設置環境において２つの商用電源コンセントが条件となってしまう。
【０００６】
【発明が解決しようとする課題】
それに対して、プリンタと原稿スキャナにそれぞれの電力供給用電源を設け、スキャナの電力供給を接続／遮断できる機能（例えばリレー）を保有し、該機能をプリンタが制御可能とすることが考えられる。この場合、異なる２つの電力供給用電源が完全に異なる制御モジュール（受電負荷）に供給されるように分離されれば問題はないが、インターフェイス（Ｉ／Ｆ）の都合上、ある制御モジュール内のＩＣは両方の電力供給用電源が供給される必要があった場合、それぞれの電源ＯＮ／ＯＦＦシーケンスによっては、駆動電源がＯＦＦ状態でＩ／Ｆ電源がＯＮ状態という危険な状況が発生する可能性がある。このようなＩＣの代表的な一例に、スキャナの画像データをプリンタのプリント出力用の画像データに処理する画像処理用のＡＳＩＣ（Application Specific IC）がある。
【０００７】
例えば、プリンタが駆動電圧をイメージ処理ユニットＩＰＵのＡＳＩＣに与え、スキャナがＩ／Ｆ電圧をＡＳＩＣおよびそれに接続したインターフェイスに与える場合、プリンタがＯＦＦした場合、これによりスキャナ電源リレーがオフになってスキャナ電源を遮断するが、リレーの接点が開く遅れならびにスキャナ電源内部のコンデンサ放電により、スキャナ電源の出力の低下が遅れて、ＡＳＩＣの、プリンタが与える駆動電圧が消えてからスキャナ電源が与えるＩ／Ｆ電圧が消えるまでに、かなりの遅れ（図４のｔ６：後述）を生じ、この間にＡＳＩＣがラッチアップを引き起こす可能性が考えられる。
【０００８】
本発明は、このような電源遮断の遅れを改善することを目的とする。具体的には、記録紙上に画像を形成するプリンタ，光像を画像データに変換する原稿スキャナ、および、原稿スキャナの画像データをプリンタが画像を生成するための画像データに処理してプリンタに与える画像データ処理装置（例えばＩＰＵ）、の組合せにおいて、プリンタが画像データ処理装置に与える電源電圧の消滅に対する原稿スキャナが画像データ処理装置に与える電源電圧の消滅の遅れを防止することを目的とする。
【０００９】
【課題を解決するための手段】
（１）記録紙上に画像を形成する機構(11)，第１電力供給用電源(13)、および、外部電源(AC)と第１電力供給用電源(13)の間を開閉する電源スイッチ(16)、を含むプリンタ(1)；
光像をそれを表すための画像データに変換する機構，第２電力供給用電源(23)、および、外部電源(AC)と第２電力供給用電源(23)の間を、第１電力供給用電源(13)の電圧出力の有無に応じて閉開する第１スイッチ手段(24)、を含む原稿スキャナ(2)；
第１電力供給用電源(13)が出力する駆動用電圧(+5V)および第２電力供給用電源(23)が出力するインターフェイス用電圧(+5VS)によって付勢されて前記原稿スキャナ(2)から前記画像データを受けて前記プリンタ(1)が画像を生成するための画像データに処理して前記プリンタ(1)に与える画像データ処理装置(3)；および、
第１電力供給用電源(13)が出力する前記駆動用電圧(+5V)の有無に応じて、前記画像データ処理装置(3)への前記インターフェイス用電圧(+5VS)を供給停止する第２スイッチ手段(50)；
を備える画像処理複合機。
【００１０】
なお、理解を容易にするためにカッコ内には、図面に示し後述する実施例の対応要素または相当要素の記号を、参考までに付記した。以下も同様である。
【００１１】
これによれば、プリンタ(1)の第１電力供給用電源(13)の電圧出力がなくなって第１スイッチ手段(24)が開きこれにより前記駆動用電圧(+5V)がなくなるとき、同時に画像データ処理装置(3)へのインターフェイス用電圧(+5VS)がなくなり、上述の、画像データ処理装置(3)に対する複数の電源電圧間の遮断遅れ（ｔ６）を実質上生じない。
【００１２】
【発明の実施の形態】
（２）記録紙上に画像を形成するプリンタエンジン(11)，該プリンタエンジン(11)に与える高い電圧(+24V)と低い駆動用電圧(+5V)を発生する第１電力供給用電源(13)、および、外部電源(AC)と第１電力供給用電源(13)の間を開閉する電源スイッチ(16)、を含むプリンタ(1)；
光像をそれを表すための画像データに変換する機構，第２電力供給用電源(23)、および、外部電源(AC)と第２電力供給用電源(23)の間を、第１電力供給用電源(13)の前記高い電圧(+24V)の有無に応じて閉開する第１スイッチ手段(24)、を含む原稿スキャナ(2)；
第１電力供給用電源(13)が出力する駆動用電圧(+5V)および第２電力供給用電源(23)が出力するインターフェイス用電圧(+5VS)によって付勢されて前記原稿スキャナ(2)から前記画像データを受けて前記プリンタ(1)が画像を生成するための画像データに処理して前記プリンタ(1)に与える画像データ処理装置(3)；および、
第１電力供給用電源(13)が出力する前記駆動用電圧(+5V)の有無に応じて、前記画像データ処理装置(3)への前記インターフェイス用電圧(+5VS)を供給停止する第２スイッチ手段(50)；
を備える画像処理複合機。
【００１３】
これによれば、プリンタ(1)の第１電力供給用電源(13)の高い電圧出力がなくなって第１スイッチ手段(24)が開きこれにより前記駆動用電圧(+5V)がなくなるとき、同時に画像データ処理装置(3)へのインターフェイス用電圧(+5VS)がなくなり、上述の、画像データ処理装置(3)に対する複数の電源電圧間の遮断遅れ（ｔ６）を実質上生じない。
【００１４】
（３）第１スイッチ手段(24)は電気リレーであり、第２スイッチ手段(50)は半導体スイッチ(51/52)もしくは電気リレー(53)である、上記（１）又は（２）記載の画像処理複合機。
【００１５】
第１スイッチ手段(24)は、外部電源(AC)と原稿スキャナ(2)の第２電力供給用電源(23)の間を閉開するものであるので、比較的に大きい電流の開閉機能が必要である。電気リレー(53)はこれに適合し、しかも安価に装備しうる。従って本実施態様によれば、第１スイッチ手段(24)の装備が容易かつ低コストで済む。第２スイッチ手段(50)は、駆動用電圧(+5V)の消滅と同時に速くオフに切換るスイッチング機能が望まれる。半導体スイッチ(51/52)はこれに適合する。第２スイッチ手段(50)のスイッチング容量は比較的に低くて済むので、半導体スイッチ(51/52)は格別に高価にならない。
【００１６】
（３ａ）第２スイッチ手段(50)はＦＥＴ(51)である、上記（３）の画像処理複合機。
【００１７】
（３ｂ）第２スイッチ手段(50)はトランジスタ(52)である、上記（３）の画像処理複合機。
【００１８】
（３ｃ）第２スイッチ手段(50)はリレーである、上記（３）の画像処理複合機。
【００１９】
（４）省エネルギーモードでプリンタ（１）が第１スイッチ手段（２４）を開く、上記（１）乃至（３ｃ）の何れかの画像処理複合機。
【００２０】
（５）省エネルギーモードでプリンタ（１）が前記高い電圧の発生を停止し、駆動用電圧（＋５Ｖ）の発生は継続する、上記（２）の画像処理複合機。
【００２１】
（６）省エネルギーモードでプリンタ（１）が原稿スキャナ(2)の内部の電力供給を遮断し、画像データ処理装置（３）への駆動用電圧（+5V）の供給は継続する、上記（１）乃至（５）の何れかの画像処理複合機。
【００２２】
本発明の他の目的および特徴は、図面を参照した以下の実施例の説明より明らかになろう。
【００２３】
【実施例】
図１は、本発明の一実施例のハードウェア構成を示すブロック図である。図１において、デジタルプリンタ１は、パーソナルコンピュータ（ＰＣ）４と接続することにより、それ単体でコンピュータが与えるドキュメントデータをプリントアウトするプリンタとして機能する。ＰＣ４から送出されたデータは、コントローラモジュール１２を介してプリント用画像データに変換されて、プリンタエンジン１１に渡され、それにしたがってプリンタエンジン１１が転写紙上に画像を形成する。
【００２４】
第１電力供給用電源である電源装置１３は、外部電源であるＡＣ入力を受ける電源プラグ１４により商用電源コンセントに接続され、デジタルプリンタ１に必要なＤＣ出力を生み出している。電源装置１３の入力ラインには電源スイッチ１６が設けられており、電源スイッチ１６の開閉によりデジタルプリンタ１はＯＮ／ＯＦＦする。また、デジタルプリンタ１は、オプションの原稿スキャナであるスキャナユニット２、画像データ処理装置（ＩＰＵ：Image Processing Unit）３をケーブル３１にて装着することにより、デジタル複写機として機能する。
【００２５】
スキャナユニット２は、ＶＰＵ（Video Processing Unit）２１が内蔵されており、ＣＣＤで読み取った画像信号を、信号増幅、信号合成、可変増幅、信号デジタル化の工程を経て、デジタル画像データに変換して該画像データをＩＰＵ３に送出する。
【００２６】
ＩＰＵ３は、スキャナユニット２から受け取ったデジタル画像データを編集し、加工し、プリンタの画像出力用の画像データすなわち作像データに処理して、プリンタエンジン１１に渡す。
【００２７】
スキャナユニット２への電力供給は、基本的には電源プラグ２５を商用電源コンセントに接続することにより、第２電力供給用電源である電源装置２３がＤＣ出力を生み出すようにしているが、電源装置２３の入力ラインには、第１スイッチ手段であるリレー２４が設けられており、電源プラグ２５からの、外部電源であるＡＣ入力を接続／遮断可能である。リレー２４の駆動はデジタルプリンタ１のＤＣ出力（＋２４Ｖ）で為されている。
【００２８】
さて、デジタルプリンタ１にスキャナユニット２、ＩＰＵ３およびケーブル３１を装着してデジタル複写機構成としたときの電源ＯＮ／ＯＦＦ動作について説明する。デジタルプリンタ１に設けられた電源スイッチ１６をＯＮすると、電源装置１３へのＡＣ電力供給が為され、プリンタエンジン１１、コントローラモジュール１２、ＩＰＵ３へのＤＣ供給（＋５Ｖ、＋２４Ｖ）が開始される。それと同時に、電源装置１３のＤＣ出力（＋２４Ｖ）は、スキャナユニット２のリレー２４の電気コイルに供給され、リレー２４の接点が閉じて電源装置２３へのＡＣ電力供給が為される。これにより、ＶＰＵ２１、ＩＰＵ３へのＤＣ供給（＋５ＶＳ）が開始される。
【００２９】
次に、電源スイッチ１６をＯＦＦすると、電源装置１３へのＡＣ電力供給が遮断し、プリンタエンジン１１、コントローラモジュール１２、ＩＰＵ３へのＤＣ電圧（＋５Ｖ、＋２４Ｖ）が消える。それと同時に、リレー２４へのＤＣ出力（＋２４Ｖ）もＯＦＦされ、リレー２４の接点が開いて電源装置２３へのＡＣ電力供給が遮断される。これにより、ＶＰＵ２１、ＩＰＵ３へのＤＣ電圧（＋５ＶＳ）が消える。
【００３０】
ここで、リレー２４を駆動する電源装置１３のＤＣ出力配線（＋２４Ｖ）ならびにＩＰＵ３へのＤＣ出力配線（＋５Ｖ）は、ＩＰＵ３とプリンタエンジン１１間のデータ通信用ケーブル３１内に配置している。さらに、スキャナユニット２にはアウトレット３２が設けられており、デジタルプリンタ１に対して、オプションのスキャナユニット２を装着する際に、デジタルプリンタ１の電源プラグ１４をアウトレット３２に差し込み、商用電源コンセントにはスキャナユニット２の電源プラグ２５のみを接続することで機能を実現する。
【００３１】
続いて、ＩＰＵ３の構成について図２の（ａ）を用いて説明する。図２の（ａ）は、ＩＰＵ３の内部ブロック図である。ＩＰＵ３制御の中心であるＣＰＵ４１とＲＯＭ４２、ＲＡＭ４３、ＡＳＩＣ４４は、ＣＰＵバス（内部バス）４７で接続されている。画像データ処理を行うＡＳＩＣ４４には、２つの外部バスが接続されており、ひとつは回路４５、回路４６を介してＶＰＵ２１との通信および制御を行う外部バス４８、そしてプリンタエンジン１１とのＩ／Ｆである外部バス４９である。
【００３２】
次に、ＩＰＵ３の電源接続について説明する。ＩＰＵ３は、電源装置１３からのＤＣ電圧（＋５Ｖ）と電源装置２３からのＤＣ電圧（＋５ＶＳ）の２種類の動作電圧を必要とする。電源装置１３からのＤＣ電圧（＋５Ｖ）は、ＩＰＵ３内部でＡＳＩＣ４４の駆動用電圧であり、外部バス４９はこのＤＣ電圧（＋５Ｖ）により動作する。一方、その他のブロックは電源装置２３からのＤＣ供給（＋５ＶＳ）で駆動している。
【００３３】
デジタルプリンタ１にスキャナユニット２、ＩＰＵ３、ケーブル３１を装着してデジタル複写機構成とした状態における省エネルギーモードの場合は、電源装置１３が＋２４Ｖの発生を停止することにより為され、その結果リレー２４の接点が開いて電源装置２３へのＡＣ電力供給が遮断される。これにより、電源装置２３のＤＣ出力（＋５ＶＳ）がＯＦＦし、スキャナユニット２ならびに、ＡＳＩＣ４４を除くＩＰＵ３のブロック、が非動作状態（省エネルギーモード）となる。電源装置１３が与える＋５ＶはＡＳＩＣ４４に加わっている。
【００３４】
省エネルギーモードからの復帰条件は、コントローラモジュール１２を介したＰＣ４からのプリント要求（デジタルプリンタ単体と同様）のほかに、デジタル複写機拡張時のスキャナユニット２への読み取り原稿セットであるが、原稿のセット検知（図示せず）はＡＳＩＣ４４が監視し、外部バス４９を通じてプリンタエンジン１１、コントローラモジュール１２へと通知される。
【００３５】
コントローラモジュール１２は、省エネルギーモードからの復帰要求を判断し、復帰要求があると、電源装置１３の＋２４Ｖ発生を再開させる。これにより、スキャナユニット２のリレー２４が接点を閉じ、電源装置２３が＋５ＶＳを発生する。これによりＩＰＵ３のブロックに＋５ＶＳが加わる。
【００３６】
デジタルプリンタ１にスキャナユニット２、ＩＰＵ３、ケーブル３１を装着してデジタル複写機構成とした状態において、電源プラグ１４が商用電源コンセントに接続されて、かつ電源プラグ２５が商用電源コンセントに接続されていないような場合においては、電源装置２３へのＡＣ電力供給がないので、省エネルギーモードのときと同様に、ＩＰＵ３には、＋５ＶＳは加わらない。これにより、スキャナユニット２ならびに、ＡＳＩＣ４４を除くＩＰＵ３のブロック、が非動作状態（デジタルプリンタ単体動作モード）となる。
【００３７】
図３に、図１に示す実施例の、デジタル複写機構成にしている時の、電源システムのみを示す。ＩＰＵ３において、電源装置２３からのＤＣ出力（＋５ＶＳ）は、第２スイッチ手段であるスイッチ回路５０のＦＥＴ５１のドレイン端子に入力されており、ＦＥＴ５１のソース端子がＡＳＩＣ４４の電源（＋５ＶＳ）端子に入力される。また、ＦＥＴ５１のゲート端子は、電源装置１３からのＤＣ出力（＋５Ｖ）に接続されている。
【００３８】
図４に、デジタル複写機構成にしている時の、電源スイッチ１６が閉（オン）になったときの電源ＯＮシーケンス、ならびに、電源スイッチ１６が開（オフ）になったときの電源ＯＦＦシーケンス、の電源装置１３，２３の出力電圧の推移を示す。
【００３９】
最初に、電源ＯＮシーケンスについて説明する。電源スイッチ１６をＯＮすると、ｔ１秒後に電源装置１３の＋５Ｖ出力が立ち上がり、ＡＳＩＣ４４の駆動用電源が供給されると同時に、スイッチ回路５０のＦＥＴ５１はＯＮする。その後、ｔ２秒後に電源装置１３の＋２４Ｖ出力が規定レベルに達して、スキャナ２のリレー２４の接点が閉じ、電源装置２３からのＤＣ出力（＋５ＶＳ）が開始され、＋５Ｖの立ち上がりからｔ３秒経過後に＋５ＶＳが立ち上がって、ＡＳＩＣ４４に接続されるバス（ＣＰＵバス４７、外部バス４８）がアクティブになる。
【００４０】
次に、電源ＯＦＦシーケンスについて説明する。通電動作状態から電源スイッチ１６をＯＦＦに切換えると、それからｔ４秒後に電源装置１３からのＤＣ出力（＋５Ｖ）が停止し、ＡＳＩＣ４４の駆動用電源がＯＦＦ状態になると同時に、スイッチ回路５０のＦＥＴ５１はＯＦＦする。ＦＥＴ５１がＯＦＦすることで、ＦＥＴ５１のドレイン端子とソース端子間の電流が遮断されてＡＳＩＣ４４への＋５ＶＳ入力もＯＦＦ状態になる。このとき、ＡＳＩＣ４４に接続されるバス（ＣＰＵバス４７、外部バス４８）は非動作状態、すなわちハイ・インピーダンス状態となる。
【００４１】
その後、ｔ５秒後に電源装置１３の＋２４Ｖ出力が規定レベル以下に低下してスキャナ２のリレー２４の接点が開き、電源装置２３からのＤＣ出力（＋５ＶＳ）が停止し、＋５Ｖの立ち下がりからｔ６秒経過後に、電源装置２３の出力＋５ＶＳが立ち下がる（図４上の２点鎖線）。しかし、ＩＰＵ３上の、＋５ＶＳ給電用の第２ライン１８と＋５ＶＳ受電端子Ｔｓとの間にスイッチ回路５０があって、該回路５０のＦＥＴ５１が、電源装置１３から＋５Ｖをうける受電端子Ｔｐに繋がった＋５Ｖ給電用の第１ライン１７の＋５Ｖの立ち下がりと同時にＯＦＦして、＋５ＶＳ給電用の第２ライン１８を＋５ＶＳ受電端子Ｔｓから遮断する。したがって、ＩＰＵ３への＋５ＶＳの給電は、ＩＰＵ３への＋５Ｖの給電が停止するとき同時に停止する。
【００４２】
なお、仮に、スイッチ回路５０を装備せず、ＩＰＵ３上の＋５ＶＳ給電用の第２ライン１８と＋５ＶＳ受電端子Ｔｓとを直接に接続しているとすると、電源スイッチ１６がオンからオフに切換ってＩＰＵ３に印加されている＋５Ｖが消えてからも、＋５ＶＳは図４に示すｔ６の間継続するので、ＡＳＩＣ４４は駆動用電圧＋５Ｖがないがインターフェィス動作電圧＋５ＶＳがあるという、ラッチアップを引き起こす可能性がある状態になり得る。
【００４３】
しかし上述の本発明の実施例では、スイッチ回路５０によってこのような不具合が回避される。すなわち、ＡＳＩＣ４４にとっての駆動用電源供給がされない状態で、接続されるバス（ＣＰＵバス４７、外部バス４８）は非動作状態であることから、ラッチアップを引き起こす状態が回避される。
【００４４】
なお、スキャナ２に装備するリレー２４を半導体スイッチ回路に置換することも出来るが、商用ＡＣの開閉になるので回路コストが比較的に高くになるので、リレーを用いるのが好ましい。
【００４５】
スイッチ回路５０のスイッチ素子には、図２の（ａ）に示すＦＥＴ５１に替えて、図２の（ｂ）に示すトランジスタ５２を用いてもよい。図２の（ｃ）に示すように、電気リレーを用いることもできる。しかし電気リレーは安価に装備できるが、駆動電流（電気コイルに流す所要電流）値が比較的に大きく、しかも、オン，オフ切換り時の接点火花やチャタリングでノイズを発生しやすいので、半導体スイッチ素子を用いるのが好ましい。
【００４６】
【発明の効果】
第２スイッチ手段(50)が第１ライン(17)上の駆動用電圧（+5V）の有無に応じて原稿スキャナ(2)のインターフェィス動作電圧(+5VS)と第２ライン(18)の間を閉開するので、プリンタ(1)が原稿スキャナ(2)に与える電圧がなくなるとき、同時に第２ライン(18)のインターフェィス動作電圧(+5VS)がなくなり、上述の、画像データ処理装置(3)に対する複数の電源電圧間の遮断遅れ（ｔ６）を実質上生じない。
【図面の簡単な説明】
【図１】  本発明の一実施例の、発明に係わる主要部の構成を示すブロック図である。
【図２】  （ａ）は、図１に示すＩＰＵ３の内部の構成を示すブロック図である。（ｂ）は、（ａ）に示すスイッチ回路５０の一変形例を示すブロック図、（ｃ）はスイッチ回路５０のもう１つの変形例を示すブロック図である。
【図３】  図１に示すプリンタ１とスキャナ２との組付け状態での、電源システムを抽出して示すブロック図である。
【図４】  図１および図３に示す電源スイッチ１６の、開から閉への切換りＰｏｗｅｒ  ＯＮと、閉から開への切換りＰｏｗｅｒ  ＯＦＦの時の、電源装置１３，２３の出力電圧の変化を示すタイムチャートである。
【符号の説明】
１：プリンタ            ２：スキャナ
３：画像データ処理装置  ４：パソコン
１３，２３：電源装置    １６：電源スイッチ
【図１】
0004349479.tif 000002
【図２】
0004349479.tif 000003
【図３】
0004349479.tif 000004
【図４】
0004349479.tif 000005